(57)【要約】親密マッサージ用通路を備えた性的支援方法および器具は、個人および／またはカップルに乳房マッサージの健康上の多くの利益を享受させることができる。この器具は、陰茎、乳房組織および／または乳房間領域をマッサージするために、定義された経路中または乳房間で陰茎を案内する手段を含む。定義された経路内の陰茎の移動は、周囲の乳房組織をさらにマッサージする器具の湾曲を引き起こす。少なくとも１つの胸骨通路（５）、管通路（１５）、乳房通路（２０）または通路強化部（９０）が器具に存在する。この用途が広く、経済的で、非外科的な環境保全技術器具は、個人が乳房組織のマッサージ、乳房間領域のマッサージ、および／または両手を自由に使える乳房性交を経験できるようにする身体輪郭に依存しない少なくとも１つの通路を生成する。【選択図】図１
2014514119.tif 000002
【特許請求の範囲】
【請求項１】
親密マッサージ器具は、次のものを含む：
ａ）本体、次のものを含む、
ｂ）少なくとも１つの通路、
ここにおいて、少なくとも１つの通路は内張りを含み、
前記内張りは少なくとも１つのエラストマー材料を含み、
前記少なくとも１つの通路は人間の陰茎を収容するための寸法に形成され、
前記少なくとも１つの通路は人間の着用者の胴に位置し、
前記少なくとも１つの通路は人間の陰茎のために内蔵された所定の軌道であり、そして
これによって、前記親密マッサージ機器の着用者の胴は、人間の陰茎が前記少なくとも１つの通路に挿入されたときに刺激される。
【請求項２】
請求項１記載の親密マッサージ器具は、ここにおいて、前記少なくとも１つの通路が、少なくとも１つの胸骨通路、少なくとも１つの管通路、および少なくとも１つの乳房通路から成るグループから選択され、
ここにおいて、前記少なくとも１つの胸骨通路は着用者の胸骨とほぼ整列して位置し、そして前記少なくとも１つの胸骨通路は着用者の乳房間にほぼ位置し、そして前記少なくとも１つの胸骨通路は陰茎が前記少なくとも１つの胸骨通路にあるときに着用者の皮膚、前記親密マッサージ器具および着用者の乳房間で陰茎を案内し、そして
ここにおいて、前記少なくとも１つの管通路は着用者の胸骨とほぼ整列して位置し、そして前記少なくとも１つの管通路は陰茎が前記少なくとも１つの管通路にあるときに前記親密マッサージ器具内で着用者の乳房間で陰茎を案内し、そして
ここにおいて、前記少なくとも１つの乳房通路は着用者の乳房上に位置し、そして前記少なくとも１つの乳房通路は陰茎が前記少なくとも１つの乳房通路にあるときに着用者の乳房上で陰茎を案内し、そして
それによって、前記少なくとも１つの胸骨通路、前記少なくとも１つの管通路、および前記少なくとも１つの乳房通路は、人間の陰茎のための内蔵された所定の軌道である。
【請求項３】
前記本体が、バンドによって具現化されることを特徴とする請求項２記載の親密マッサージ器具。
【請求項４】
前記本体が、芯部材によって具現化されることを特徴とする請求項２記載の親密マッサージ器具。
【請求項５】
前記本体が、椀によって具現化されることを特徴とする請求項２記載の親密マッサージ器具。
【請求項６】
少なくとも１つの取付手段をさらに含み、ここにおいて、前記少なくとも１つの取付手段が着用者の胴上の適所に前記本体を保持する請求項２記載の親密マッサージ器具。
【請求項７】
少なくとも１つの第２の取付手段をさらに含み、ここにおいて、前記少なくとも１つの第２の取付手段が前記親密マッサージ器具を第２の親密マッサージ器具に取り付けることを特徴とする請求項２記載の親密マッサージ器具。
【請求項８】
前記少なくとも１つの通路が少なくとも１つの孔を含み、ここにおいて、前記少なくとも１つの孔が人間の陰茎が前記少なくとも１つの通路にあるときに人間の着用者の皮膚を人間の陰茎に露出することを特徴とする請求項２記載の親密マッサージ器具。
【請求項９】
少なくとも１つの空洞をさらに含み、ここにおいて、前記少なくとも１つの空洞が少なくとも１つの補助皮膚刺激装置を含むための寸法に形成されることを特徴とする請求項２記載の親密マッサージ器具。
【請求項１０】
少なくとも１つの安定板をさらに含み、ここにおいて、前記少なくとも１つの安定板が前記親密マッサージ器具のより硬い材料の領域を含み、ここにおいて、前記少なくとも１つの安定板が前記親密マッサージ器具の変形を制限する役目をする請求項２記載の親密マッサージ器具。
【請求項１１】
着用者の胴をマッサージする方法は、次のものを含み：
ａ．この種の性的支援器具を提供することは、次のものを含み
本体は、次のものを含み、
少なくとも１つの通路、
ここにおいて、前記少なくとも１つの通路は内張りを含み、
前記内張りは少なくとも１つのエラストマー材料を含み、
前記少なくとも１つの通路は人間の陰茎を収容するための寸法に形成され、
前記少なくとも１つの通路は人間の着用者の胴に位置され、そして
前記少なくとも１つの通路は人間の陰茎のために内蔵された所定の軌道であり、
ｂ．前記性的支援器具を人間の着用者の胴に位置決めること、
ｃ．人間の陰茎が移動するであろう領域に潤滑剤を塗ること、
ｄ．人間の陰茎を前記少なくとも１つの通路に挿入すること、そして
ｅ．前記少なくとも１つの通路における人間の陰茎の移動の結果として人間の着用者の胴をマッサージすること。
【請求項１２】
請求項１１記載の方法は、ここにおいて、前記少なくとも１つの通路が、少なくとも１つの胸骨通路、少なくとも１つの管通路、および少なくとも１つの乳房通路から成るグループから選択されること、
ここにおいて、前記少なくとも１つの胸骨通路は着用者の胸骨にほぼ整列して位置し、そして前記少なくとも１つの胸骨通路は着用者の乳房間にほぼ位置され、そして前記少なくとも１つの胸骨通路は陰茎が前記少なくとも１つの胸骨通路にあるときに陰茎を着用者の皮膚、前記性的支援器具、および着用者の乳房の間で案内し、そして
ここにおいて、前記少なくとも１つの管通路は着用者の胸骨とほぼ整列して位置され、そして前記少なくとも１つの管通路は陰茎が前記少なくとも１つの管通路にあるときに陰茎を前記性的支援器具内で着用者の乳房間で案内し、そして
ここにおいて、前記少なくとも１つの乳房通路は着用者の乳房上に位置され、そして前記少なくとも１つの乳房通路は陰茎が前記少なくとも１つの乳房通路にあるときに陰茎を着用者の乳房上で案内し、そして
これによって、前記少なくとも１つの胸骨通路、前記少なくとも１つの管通路、および前記少なくとも１つの乳房通路は、人間の陰茎のために内蔵された所定の軌道である。
【請求項１３】
前記本体が、バンドによって具現化されることを特徴とする請求項１２記載の方法。
【請求項１４】
前記本体が、芯部材によって具現化されることを特徴とする請求項１２記載の方法。
【請求項１５】
前記本体が、椀によって具現化されることを特徴とする請求項１２記載の方法。
【請求項１６】
少なくとも１つの取付手段をさらに含み、ここにおいて、前記少なくとも１つの取付手段が本体を着用者の胴上の適所に保持することを特徴とする請求項１２記載の方法。
【請求項１７】
少なくとも１つの第２の取付手段をさらに含み、ここにおいて、前記少なくとも１つの第２の取付手段が前記性的支援器具を前記第２の性的支援器具に取り付けることを特徴とする請求項１２記載の方法。
【請求項１８】
前記少なくとも１つの通路は少なくとも１つの孔を含み、ここにおいて、前記少なくとも１つの孔が人間の陰茎が前記少なくとも１つの通路にあるときに人間の着用者の皮膚を人間の陰茎に露出することを特徴とする請求項１２記載の方法。
【請求項１９】
少なくとも１つの空洞をさらに含み、ここにおいて、前記少なくとも１つの空洞が少なくとも１つの補助皮膚刺激装置を収容するための寸法に形成されることを特徴とする請求項１２記載の方法。
【請求項２０】
少なくとも１つの安定板をさらに含み、ここにおいて、前記少なくとも１つの安定板が前記性的支援器具のより硬い材料の領域を含み、ここにおいて、前記少なくとも１つの安定板が前記性的支援器具の変形を制限する役目をすることを特徴とする請求項１２記載の方法。
【発明の詳細な説明】
【技術分野】
【０００１】
＜背景−分野＞
本出願は、一般的に乳房の健康に関し、特に乳房組織のマッサージおよび／または乳房間領域のマッサージを行うために個人またはカップルによって使用される器具に関する。
【背景技術】
【０００２】
＜背景−先行技術＞
人工または本物の陰茎を使用して乳房組織をマッサージする、または乳房間領域をマッサージするために個人またはカップルによって使用される器具に関する先行技術はほとんどない。以下の先行技術は、親密マッサージのための通路を備えた性的支援方法および器具に近い最先端技術を示している。
【０００３】
１８８９年７月２３日にフェリスに発行された米国特許第４０７,３４１号である腹部サポータは、乳房および腹部包帯を示す。乳房包帯は、乳汁を使用者から取り除き、乳汁を吸収する。それは、乳首のための切り抜きを持つ。カバー内側の乳首布片および乳汁吸収材は、液体吸収のために設計されている。この乳房および腹部帯は、人工または本物の陰茎による乳房組織のマッサージまたは乳房間領域のマッサージための内蔵通路を提供しない。
【０００４】
１９９６年６月４日にリンに発行された米国特許第５,５２２,８９２号である乳房増大装置は、通気口を備えた複数の長方形の溝および複数の長方形の畝を備えた乳房増大装置について記述する。ブラジャーに詰めるための乳房パッドは、より大きな乳房の印象を与えるために使用される。この乳房増大装置は、装置のくぼんだ側面における換気のために設計された溝および畝を持つ。乳房増大装置の溝および畝は、人工または本物の陰茎に乳房組織のマッサージおよび／または乳房間領域のマッサージを許容するように設計されていない。
【０００５】
１９９８年９月１５日にベーマイヤーに発行された米国特許第５,８０７,１６０号である谷間皺プロテクタは、サテンか同様のランジェリータイプ織物から造られ、ポリエステル線維充填材が詰められた谷間皺プロテクタを開示する。プロテクタは、彼女が横向きになったときに眠る間に谷間皮膚が折り重なることから保護するために、女性の乳房の間に装着されるように設計されている。したがって、このプロテクタは、谷間領域を覆い、それゆえ、人工または本物の陰茎に乳房間領域のマッサージのための内蔵通路を提供しない。
【０００６】
２０００年１月１８日にイオアキムに発行された米国特許第６,０１５,３３１号である夜間看護チューブブラジャーは、吸収性のライナーを持っており、上縁に沿った第１の弾性バンドおよび底縁に沿った第２の弾性バンドを持っているブラジャーのようにチューブトップである夜間看護チューブブラジャーを開示する。このチューブブラジャーは、乳房のマッサージおよび／または乳房組織間のマッサージをするための人工または本物の陰茎のための内蔵通路を持っていない。さらに、弾性バンドは、乳房組織のマッサージおよび／または乳房間領域のマッサージのために人工または本物の陰茎が乳房および谷間領域に進入することを禁じる。
【０００７】
２００４年８月４日にフィッシャーに発行された米国特許第６,７６９,９５５号である就寝用抗皺ブラジャーは、中心乳房支持挿入物を備えた柔軟な管のようなブラジャーを含むブラジャーを示す。この挿入物は、乳房の間に位置し、着用者が横向きに寝たときに乳房を支持する。この支持は、胸郭上部の皮膚における皺の形成を防ぐことを支援する。この挿入物は、厚い中間部、着用者の乳房間の胸表面に一致することに適した背面、およびそれらの側で高い位置の乳房が低い位置の乳房の方へ垂れ下がることを防ぐ間に着用者のどちらか一方の乳房の支持に適する縦断面の各側面上の凹面の曲がった空洞で形作られている。中心挿入物が乳房間の胸表面に一致するように、この挿入物は、人工または本物の陰茎に乳房組織のマッサージおよび／または乳房間領域のマッサージを可能にさせる内蔵通路を提供していない。
【０００８】
２００７年３月２０日にロレンツォに発行された米国特許第７,１９２,４０９号である快適包帯は、横たわり位置で横向きの乳房に移行することを防ぐ胸骨上の中心に置かれた半円筒形状補助枕を備えた伸縮性のある織物で作られたチューブトップのようなバンドを示す。このバンドが着用されたときに、半円筒形状補助枕は、胸骨に一致するように、乳房性交のための通路を持たない。窓割りを備えた実施例は、乳首および乳房の刺激を可能にすることができるが、人工または本物の陰茎によって乳房組織のマッサージおよび／または乳房間領域のマッサージのために提供される内蔵通路はない。
【０００９】
２００９年４月２９日にアッバスザデーによって出願された米国公開第２０１０／０１５９８０１Ａ１号である搾乳／授乳ブラジャーは、女性の胸郭を包囲する材料の少なくとも１つのバンドを含む両手を自由に使える搾乳および授乳ブラジャーを示す。この材料のバンドは、女性の乳房に対応する２つの開口を備える。中心パネルは、バンドのフィットを調節するために提供される。この搾乳／授乳ブラジャーのデザインは、人工または本物の陰茎による乳房間のマッサージおよび／または乳房組織のマッサージのための通路を持っていない。
【００１０】
２０１０年１１月２日にジャリに発行された米国特許意匠第６２６,６５６Ｓ号であるマッサージ機は、多くの形状の幾何学図を備えたマッサージ機を示す。市販のマッサージ機のための宣伝文句によれば、マッサージ機は、内蔵電子機器を持ち、人間工学的で、人間の手のひらにフィットする。マッサージ機は、柔らかい手触りの表面被覆を備えた硬いＡＢＳ合成樹脂で作られている。より硬い材料で作られているマッサージ機は、人間の手によって変形可能ではない。マッサージ機には、人間の乳房上で快適に着用され、かつ人工または本物の陰茎によって乳房組織のマッサージおよび／または乳房間領域のマッサージに使用される幾何学的形状および／または材料特性がない。
【００１１】
軸受ガイド、ケーブルガイド、および配線管には、案内路がある。これらの案内路は、乳房組織のマッサージのための、または乳房間領域のマッサージのための快適で人間工学的な通路を持つためには設計または製造されていない。硬化鋼ベアリング案内の使用は、着用者および／またはマッサージを行う人によって使用に適しているとは考えられないかもしれない。
【００１２】
透け透けのブラジャーまたは乳首のための切り抜きを備えたゴムフェチ服は、普通の先行技術である。それらは確かに乳房組織を露出するが、それらには人工または本物の陰茎による乳房組織のマッサージおよび／または乳房間領域のマッサージのための内蔵通路がない。
【００１３】
多くの個人にとって、谷間が、従来方法を備えた乳房性交を経験することは可能でないか、または十分ではないかもしれない。これは、自然な乳房サイズ、外科手術のような様々な条件による乳房組織の損失、ホルモンの変化、または減量によるかもしれない。全ての個人に乳房組織サイズにもかかわらず乳房性交のマッサージおよび刺激を経験させることを可能にする器具および方法は、必要である。重要な研究が、乳房マッサージの利益を実証している。これは、個人が乳房組織のマッサージおよび／または乳房間領域のマッサージを経験できるようにする身体輪郭と無関係な通路を提供する器具の必要性をさらに強調する。
【００１４】
＜目的および効果＞
従って、親密マッサージ用通路を備えた性的支援方法および器具のいくつかの目的および利益は、次のとおりである：
【００１５】
（ａ）乳房マッサージの利益を享受するために個人またはカップルのための新たな健康な機会を提供する器具を提供することは、次のものを含む：組織への酸素供給、毒素の排出、免疫の活性化、弛緩の提供、乳房組織への弾みの強化および付加、胸筋肉における緊張の緩和、乳房におけるリンパ排液および血液循環の促進、乳汁分泌の増加、疼痛の減少、鬱血の減少、閉経後症候群（ＰＭＳ）に関係する膨らみの減少、乳房傷跡の縮小、緊張の緩和、乳房組織の慢性病および傷の処置、乳房組織の移動、労働を誘導するための支援、健全な乳房成長または自然な乳房肥大、および癌と戦うことを支援する身体全体にわたるホルモンの流れの増加；
【００１６】
（ｂ）個々にまたはパートナーとともに乳房組織のマッサージおよび乳房間領域のマッサージのために許されるように、身体輪郭とは独立して、人体に置かれる内蔵の人間工学の通路を持っている器具を提供すること；
【００１７】
（ｃ）個人が乳房性交を経験できるようにする器具を提供すること；
【００１８】
（ｄ）個人が両手を自由に使える乳房性交を経験できるようにする器具を提供すること；
【００１９】
（ｅ）乳房性交中に両方のパートナーのための刺激を増強すること；
【００２０】
（ｆ）一部の個人にとって不快になりえる、セラピストによる乳房マッサージの代替手段を提供すること；
【００２１】
（ｇ）膣、肛門または口腔の貫通のない、および粘膜部位で交換されようとする体液なしでの代替性活動を提供し、これにより粘膜および尿道球腺液または精液間の直接の接触が必要とされる、たとえばＨＩＶのような性感染症に感染する危険を減らすこと；
【００２２】
（ｈ）寝室における多様性を加え、希望の交換および／または感覚ための関係を外部で探す必要性を減少することでカップルに新しい感覚を探求する器具を提供し、これによりＡＩＤＳおよび他の性感染症および／または伝染病の感染を減少すること；
【００２３】
（ｉ）新しい経験を提供するためにカップルの性治療における道具として使用することができる器具を提供すること；
【００２４】
（ｊ）性交を期待しているが許されていないカップルに、性感帯を喜ばせることを享受する新しい方法を許容すること；
【００２５】
（ｋ）人体の他の領域のマッサージに使用することができる器具を提供すること；
【００２６】
（ｌ）１００％リサイクルされる材料で製造することができる器具を提供すること；
【００２７】
（ｍ）工業製品の「揺りかごから墓場までのサイクル」を終了し、完全に再生または再使用できる環境保全技術製造品を提供すること；
【００２８】
（ｎ）リサイクルすることができ、最小の廃棄物および副産物を伴うプロセスを使用する製品を提供すること；
【００２９】
さらなる目的および利益は、後に続く詳細な説明および図面の考察から明らかになるであろう。
【００３０】
＜要約＞
親密マッサージ用通路を備えた性的支援方法および器具は、乳房組織上および／または着用者の乳房間で人工または本物の陰茎を案内するために採寸され形作られた少なくとも１つの通路を含む。この通路は、以下が含まれるグループから選ぶことができる：胸骨通路、管通路、乳房通路、および通路強化部。さらに、性的支援器具には、少なくとも１つの通路ならびに零、１つまたは複数の次の要素の様々な組合せおよび配置を含む：胸骨通路、管通路、乳房通路、乳房組織露出孔、バンド、取付孔、入口唇、凹凸模様、凹部、乳房接触領域、溝、安定板、通路強化部、取付リング、取付タブおよび取付手段。性的支援器具は、着用者の乳房にフィットするように設計されている。性的支援器具は、乳房組織のマッサージおよび／または乳房間領域のマッサージの広範囲の健康効果を享受するために安価で汎用的な解決策を提供する。
【図面の簡単な説明】
【００３１】
＜図面−図＞
【図１】第１の実施例に従う性的支援器具の透視図である。
【００３２】
【図２】着用者の胸に位置する図１の器具の透視図である。
【００３３】
【図３】着用者の胸に位置する図２の器具の正面図である。
【００３４】
【図４】図３の４−４に沿って得られた断面図である。
【００３５】
【図５】第１の実施例に従って無管通路、無凹部、代替乳房組織露出孔および代替乳房通路を備えた図１の性的支援器具の変形例の透視図である。
【００３６】
【図６】第１の実施例に従って取付孔、溝、代替乳房組織露出孔、代替乳房通路、代替部分バンド、無管通路および無凹部を備えた図１の性的支援器具の変形例の透視図である。
【００３７】
【図７】図６の性的支援器具の平面図である。
【００３８】
【図８】図７の器具の８−８に沿って得られた断面図である。
【００３９】
【図９】第１の実施例に従って代替乳房通路、代替管通路、代替凹部および無乳房組織露出孔を備えた図１の性的支援器具の変形例の透視図である。
【００４０】
【図１０】図９の器具の平面図である。
【００４１】
【図１１】図１０の器具の１１−１１に沿って得られた断面図である。
【００４２】
【図１２】第２の実施例に従う性的支援器具の透視図である。
【００４３】
【図１３】、
【図１４】および
【図１５】第２の実施例に従って代替管通路、代替胸骨通路および無凹凸模様を備えた図１２の性的支援器具の変形例の端面図を示す。
【００４４】
【図１６】、
【図１７】、
【図１８】および
【図１９】第２の実施例に従って代替凹部、代替通路縁、代替取付孔および無凹凸模様を備えた図１２の性的支援器具の変形例の下面図を示す。
【００４５】
【図２０】第２の実施例に従って埋込安定板および無凹凸模様を備えた図１２の性的支援器具の変形例の平面図である。
【００４６】
【図２１】図２０の器具の２１−２１に沿って得られた断面図である。
【００４７】
【図２２】第２の実施例に従って代替安定板および無管通路を備えた図２０の性的支援器具の変形例の平面図である。
【００４８】
【図２３】図２２の器具の２３−２３に沿って得られた断面図である。
【００４９】
【図２４】第２の実施例に従って乳房通路、乳房組織露出孔、代替溝、代替管通路、代替取付孔、無凹凸模様、無凹部および無取付タブを備えた図１２の性的支援器具の変形例の透視図である。
【００５０】
【図２５】第２の実施例に従って代替管通路、代替取付孔、無凹部、無取付タブおよび無凹凸模様を備えた図１２の性的支援器具の変形例の透視図である。
【００５１】
【図２６】第２の実施例に従って取付手段、代替管通路、代替取付孔、代替乳房接触領域、無凹部、無取付タブおよび無凹凸模様を備えた図１２の性的支援器具の変形例である通路強化部の透視図である。
【００５２】
【図２７】第２の実施例に従って図２６の通路強化部で連結された図２５の器具の透視図である。
【００５３】
【図２８】図２７の器具の平面図である。
【００５４】
【図２９】図２８の器具の２９−２９に沿って得られた断面図である。
【００５５】
【図３０】図２８の器具の３０−３０に沿って得られた断面図である。
【００５６】
【図３１】第２の実施例に従って代替取付手段、代替取付孔、代替溝および代替通路強化部を備えた図２７の器具の変形例の透視図である。
【００５７】
【図３２】第３の実施例に従う性的支援器具の透視図である。
【００５８】
【図３３】図３２の器具の平面図である。
【００５９】
【図３４】図３３の器具の３４−３４に沿って得られた断面図である。
【００６０】
【図３５】図３３の器具の３５−３５に沿って得られた断面図である。
【００６１】
【図３６】第３の実施例に従って取付タブ、取付孔、代替乳房通路および無安定板を備えた図３２の性的支援器具の変形例の透視図である。
【００６２】
【図３７】第３の実施例に従って取付リング、代替乳房通路、乳房組織露出孔、無安定板および無凹部を備えた図３２の性的支援器具の変形例の透視図である。
【００６３】
【図３８】第３の実施例に従って代替乳房通路、無安定板および無凹部を備えた図３２の性的支援器具の変形例の透視図である。
【００６４】
【図３９】第３の実施例に従って乳房組織露出孔、代替乳房通路、無安定板および無凹部を備えた図３２の性的支援器具の変形例の透視図である。
【００６５】
【図４０】第３の実施例に従って代替乳房通路、溝、入口唇、無凹部および無安定板を備えた図３２の性的支援器具の変形例の透視図である。
【００６６】
【図４１】図４０の器具の平面図である。
【００６７】
【図４２】図４１の器具の４２−４２に沿って得られた断面図である。
【００６８】
【図４３】第３の実施例に従って、超可撓性材料で作られた代替乳房通路、入口唇、無安定板および無凹部を備えた図３２の性的支援器具の変形例の透視図である。
【００６９】
【図４４】図４３の器具の平面図である。
【００７０】
【図４５】図４４の器具の４５−４５に沿って得られた断面図である。
【００７１】
【図４６】引き伸ばされた形の乳房通路を備えた図４３の器具の透視図である。
【００７２】
【図４７】図４６の器具の平面図である。
【００７３】
【図４８】図４７の器具の４８−４８に沿って得られた断面図である。
【００７４】
＜図面−参照番号＞
５  胸骨通路
【００７５】
１０  通路縁
【００７６】
１５  管通路
【００７７】
２０  乳房通路
【００７８】
２５  乳房組織露出孔
【００７９】
３０  バンド
【００８０】
３５  バンド縁
【００８１】
４０  内表面
【００８２】
４５  外表面
【００８３】
５０  取付孔
【００８４】
５５  入口唇
【００８５】
６０  凹凸模様
【００８６】
６５  凹部
【００８７】
７０  乳房接触領域
【００８８】
７５  溝
【００８９】
８５  安定板
【００９０】
９０  通路強化部
【００９１】
１１０  取付リング
【００９２】
１１５  取付タブ
【００９３】
１２０  超柔軟通路
【００９４】
２００  乳房
【００９５】
２１０  乳首
【発明を実施するための形態】
【００９６】
性的支援器具の次の構成要素がマッサージ要素であると考えられる：胸骨通路５、管通路１５、乳房通路２０、乳房組織露出孔２５、凹凸模様６０、凹部６５および通路強化部９０。通路は、人工または本物の陰茎の移動のための内蔵軌道である。さらに、実施例のすべてに乳房接触領域７０がある。乳房接触領域７０は、乳房組織に接する性的支援器具の部分を表す。これらの領域は、すべての実施例のために適用可能な図中に乳房接触領域７０として強調されている。
【００９７】
＜詳細な説明‐図１−１１‐第１の実施例＞
性的支援器具の第１の実施例は、図１−１１に示される通路を備えた女性用チューブトップに似ている。この実施例は、次の構成要素の変形例を特徴とし、次のものを含む：バンド３０、取付孔５０、胸骨通路５、管通路１５、乳房通路２０、乳房組織露出孔２５、凹部６５、安定板８５、溝７５、乳房接触領域７０および取付手段。
【００９８】
バンド３０‐第１の実施例には、図１−４に示されるような単一のバンドがある。バンド３０は、着用者の胴を包囲する薄く平らな弾性片である。バンド３０は、バンド縁３５、内表面４０および外表面４５を持っており、所定位置で伸びたときに心地のよいフィットを保証するために着用者の胸囲よりは小さいサイズである。バンド３０は、着用者にマッサージ要素を接続し、着用者に所定位置での着用を快適に維持するように採寸され形作られている。
【００９９】
その他にも、バンド３０は、図６−８に示されるような着用者を部分的に包囲することができる。図６−８の器具には、器具の各側面に２つずつ、４つの取付孔５０がある。取付孔５０は、着用者に器具を装着するための手段である；革紐、紐、レースなどは、着用者の所定位置で器具を固定するために取付孔５０とともに使用することができる。
【０１００】
第１の実施例のバンド３０の変形例は、次のものを含む：様々な寸法のバンド；様々な横断面形状を持つバンド；より厚いバンド縁を持つバンド；多数の部分から構成されたバンド；零、１つまたは複数の取付孔を持つバンド；厚さが変化するバンド；弾力を調節する配置が変わるバンド；フィットを調節する様々な手段を可能にするバンド；着用者の位置で器具を固定する任意の代替方法であり、次のものを含む：手で掴むこと、摩擦保持、テープ、接着剤、革紐、ボタン、面ファスナ、紐、リング、留め金具、ジッパーなど；および着用者に器具のマッサージ要素またはマッサージ要素群を接続する任意のバンド。性的支援器具上に零、１つまたは複数のバンドがあり得る。
【０１０１】
胸骨通路５‐第１の実施例には、図１−４に示されるような凹面形状の胸骨通路５がある。胸骨通路５は、一方のバンド縁３５と他方のバンド縁３５との間にわたるようにバンドの内表面４０に配置されている。胸骨通路５は、胸骨通路５の各側に通路縁１０を持っている。胸骨通路５は、着用者の皮膚と性的支援器具との間、および着用者の乳房間を人工または本物の陰茎が移動するための通路であるように採寸され形作られている。胸骨通路５は、性的支援器具の乳房マッサージ要素として役立つ。所定位置では、胸骨通路５は、図２−４に示されるように、胸骨を覆う皮膚に隣接し、人間の着用者の乳房２００の間に位置する。人工または本物の陰茎が胸骨通路５で移動するときに、着用者が所定位置であれば、胸骨通路５の各側の乳房組織がマッサージされ、そして乳房２００の間の領域がマッサージされる。胸骨通路５の寸法および形状は、通路縁１０の湾曲を可能にし、胸骨通路５の近くの乳房接触領域７０に接する乳房組織の一層のマッサージを引き起こす。このマッサージ領域は、胸骨通路５の湾曲特性によって広げられる。第１の実施例の胸骨通路５は、着用者の乳房間でほぼ整列されており、１組の乳房、器具および着用者の間で人工または本物の陰茎を案内する役目をする。
【０１０２】
第１の実施例の胸骨通路５の変形例は、次のものを含む：様々な幾何学的な凹面の（内側に凹んだ）横断面の形状：半円、不規則、逆Ｖ、およびそれらの任意の組合せなど；様々に形作られた形状を持つ通路縁１０は、次のものを含む：発散、収束、並列、波状、不規則、およびそれらの任意の組合せなどである通路縁；放射状の通路縁；通路強化部９０（第２の実施例で詳細に述べられる）で調整された通路；通路縁の間の材料の零、一部分または完全なブリッジを持つ通路；貯水端部がある通路；様々な入口および出口唇の形状配置；凹凸模様のあるまたは凹凸模様のない通路；零、１つまたは複数の孔を備えた通路；他のマッサージ要素に接続する通路；胸骨に様々な角度で向かう通路；および着用者の皮膚、器具および１組の乳房間で人工または本物の陰茎の移動を可能にする通路であるように採寸され形作られた任意の胸骨通路。任意の性的支援器具上に、零、１つまたは複数の胸骨通路があり得る。
【０１０３】
管通路１５‐第１の実施例には、図１−４に示されるような１つの管通路１５がある。管通路１５は、楕円形に形作られた横断面を持っており、胸骨通路５上に位置し、ほぼ整列する。管通路１５の長さは、一方のバンド縁３５と他方のバンド縁３５との間に渡る。管通路１５は、１組の乳房間で人工または本物の陰茎の移動のための通路であるように採寸され形作られる。管通路１５は、性的支援器具の乳房マッサージ要素として役立つ。人工または本物の陰茎が管通路１５内を移動するにつれて、管通路１５の各側の乳房組織がマッサージされる。管通路１５の寸法および形状は、器具の湾曲を可能にし、管通路１５の近くの乳房接触領域７０に接する乳房組織のマッサージ領域を広げる。
【０１０４】
その他にも、図５−８に示されるように管通路１５がないことも可能である。その他にも、管通路１５が、図９−１１に示されるような円形横断面を持つこともできる。
【０１０５】
第１の実施例の管通路１５の変形例は、次のものを含む：様々な横断面の形状であり、次のものを含む：円、楕円、有機的長方形、有機的台形、多角形、八角形、または不規則な形、およびそれらの組合せなど；アーチ、放物線、波状、または不規則な方向である通路；様々な入口および出口唇の形状配置；凹凸模様のあるまたは凹凸模様のない通路；零、１つまたは複数の孔を備えた通路；他のマッサージ要素に接続する通路；胸骨に様々な角度で向けられた通路；貯水端部または１つの閉じた端部がある通路；ならびに器具内および１組の乳房間で人工または本物の陰茎の移動のための通路であるように採寸され形作られた任意の管通路。任意の性的支援器具上に零、１つまたは複数の管通路があり得る。
【０１０６】
乳房通路２０‐第１の実施例には、図１−４に示されるように２つの乳房通路２０がある。乳房通路２０は、バンドの外表面４５上の胸骨通路５の各側に対称的に配置されている。乳房通路２０は、バンド縁３５と平行で、バンド縁３５から等距離である。乳房通路２０は、着用者の乳房組織上の通路であるように採寸され形作られている。乳房通路２０は、性的支援器具の乳房マッサージ要素として役立つ。人工または本物の陰茎が乳房通路２０内で移動するにつれて、乳房通路２０の各側の真下および上の乳房組織がマッサージされる。乳房通路２０の寸法および形状は、器具の湾曲を可能にし、乳房通路２０の近くの乳房接触領域７０に接する乳房組織のマッサージされる領域を広げる。乳房通路２０内では、乳房組織露出孔２５があり得る。これらの乳房組織露出孔２５は、対象物が乳房通路２０に入り、乳房組織露出孔２５の上をおよび／または通じて滑るときに、乳房組織のマッサージを可能にする。
【０１０７】
その他にも、乳房通路２０は、図５に示されるように、乳房通路２０毎に１つの乳房組織露出孔２５を備え、着用者の胸骨に平行にほぼ整列され得る。その他にも、乳房通路２０は、器具のバンド縁３５に平行にほぼ整列されることができ、各乳房通路２０は、図６−８に示されるように、２つの乳房組織露出孔２５を持つことができる。その他にも、図９−１１に示されるように、複数の乳房通路２０があり得る。この例では、各乳房の異なる部位のマッサージを可能にするために各乳房２００上に位置した半円状横断面を備えた４つの凹面の乳房通路２０がある。これらの乳房通路２０は、人工または本物の陰茎による乳房通路２０の全長に沿った乳房との十分な皮膚接触を可能にする。
【０１０８】
第１の実施例の乳房通路２０の変形例は、次のものを含む：器具上の位置において対称的または非対称的な通路；零、１つまたは複数の乳房組織露出孔を備えた通路；様々な横断面の形状は、次のものを含む：円、多角形、八角形、または不規則な形、およびそれらの組合せなど；アーチ、放物線、波状、または方向が不規則な通路；様々な入口および出口唇の形状配置；凹凸模様のあるまたは凹凸模様のない通路；零、１つまたは複数の孔を備えた通路；他のマッサージ要素に接続する通路；バンド縁に様々な角度で向かう通路；通路縁間の材料の零、一部分、または完全なブリッジを持つ通路（材料のブリッジは、乳房通路の崩壊を防ぐ役目をすることができる）；貯水端部または１つの閉じた端部がある通路；および乳房組織上での人工または本物の陰茎の移動ための通路であるように採寸され形作られる任意の乳房通路。任意の性的支援器具上に零、１つまたは複数の乳房通路があり得る。
【０１０９】
乳房組織露出孔２５‐第１の実施例には、図１−４に示されるように、２つの乳房組織露出孔２５がある。乳房組織露出孔２５は、バンドの内表面４０上の胸骨通路５の各側に対称的に配置され、乳房通路２０に導入される人工または本物の陰茎に対して乳房組織を露出するように採寸され形作られている。この実施例では、乳房組織露出孔２５は、図４に示されるように、形において楕円で、乳首２１０のような敏感な乳房組織領域を露出するように位置する。
【０１１０】
その他にも、乳房組織露出孔２５は、図５に示されるように、円形横断面の形状を持つことができる。その他にも、性的支援器具には、図６−８に示されるように、器具の各側に１つは円形、そして１つは不規則形状の乳房組織孔２５があり、４つの乳房組織露出孔２５を持つことができる。その他にも、図９−１１に示されるように、乳房組織露出孔２５がないこともあり得る。
【０１１１】
第１の実施例の乳房組織露出孔２５の変形例は、次のものを含む：様々な形は、次のものを含む、円、長方形、八角形、多角形、不規則な形、または乳房通路、管通路または胸骨通路に人工または本物の陰茎が導入されるように乳房組織を露出する任意の形状；乳房組織露出孔は、性的支援器具上の位置に対称的または非対称的に整列することができる。任意の性的支援器具上に零、１つまたは複数の乳房組織露出孔があり得る。
【０１１２】
凹部６５‐第１の実施例は、図１−４に示されるように、２つの凹部６５を持っている。凹部６５は、横断面において円であり、胸骨通路５の各側に対称的に配置され、バンド３０の厚さ内にある。凹部６５の長さは、一方のバンド縁３５と他方のバンド縁３５との間に渡る。凹部６５は、零、１つまたは複数の装置を保持するように設計されており、次のものを含む；皮膚および／または乳房組織への刺激を生成する装置、振動装置、脈動装置、小球回動装置、振動装置、発熱装置、固体対象装置（例えば、ボール）、吸収装置、電動装置、または刺激および／またはマッサージを与える役目をする任意のタイプの装置。性的支援器具のための材料の正しい選択により、刺激装置からの振動、パルス、加熱および／または特性は、器具の全体にわたって、または局所的な部位に伝達されるだろう。同様に、皮膚または乳房組織への刺激を生成する零、１つまたは複数の装置は、器具の任意の孔に挿入されるか、器具の下のいかなる場所にも挿入されるか、または器具の上のいかなる場所にも置くことができる。
【０１１３】
その他にも、図５−８に示されるように、性的支援器具に凹部６５がないこともあり得る。その他にも、図９−１１に示されるように、４つの凹部６５があることも可能である。２つの凹部６５は胸骨通路５の各側に対称的に配置され、２つの凹部６５はバンド３０の外側の部位に対称的に配置される。
【０１１４】
第１の実施例の凹部６５の変形例は、次のものを含む：器具全体を貫通する凹部；様々な横断面の形状を持つ凹部であり、次のものを含む：円、多角形、八角形、不規則な形、およびそれらの組合せなど；アーチ、直線、放物線、波状、または方向が不規則な凹部；様々な入口および出口唇の形状配置；凹凸模様のあるまたは凹凸模様のない凹部；零、１つまたは複数の孔を備えた凹部；他のマッサージ要素に接続する凹部；胸骨および／またはバンド縁に対して様々な角度を向いた凹部；内蔵刺激装置に閉じられた凹部；一端部が閉じられた凹部；および零、１つまたは複数の刺激装置を保持するために器具内に空洞を作るように採寸され形作られた任意の凹部。任意の性的支援器具上には、零、１つまたは複数の凹部があり得る。
【０１１５】
安定板８５‐第１の実施例の安定板８５は、図９−１１に示される。安定板８５は、バンド３０に埋め込まれ、図１１に示されるように、乳房通路２０および胸骨通路５の輪郭に沿っている。安定板８５は、バンド３０が着用者の位置で伸ばされたときに、通路が崩壊しないように通路の形を保持することを支援する役目をする。安定板８５は、通路内での人工または本物の陰茎の移動からマッサージ効果が伝達することを支援する役目もする。安定板８５は、器具とともに使用された刺激装置から刺激を伝達することを支援する。
【０１１６】
第１の実施例の安定板８５の変形例は、次のものを含む：様々に採寸された安定板；様々な横断面の形状を備えた安定板；零、１つまたは複数の取付孔を備えた安定板；厚さを変える安定板；弾力を調節するために変化する配置を備える安定板；異なる材料で作られた安定板、通路強化部を強化する役目をする安定板、および性的支援器具の任意の部分の形を維持および支持することを支援する役目をし、および／または、通路内での移動からマッサージ効果を伝達する役目をする任意の代替安定板。任意の外表面上に、または任意の性的支援器具内に埋め込まれた、零、１つまたは複数の安定板があり得る。
【０１１７】
溝７５‐性的支援器具の第１の実施例には、図７に示されるように、２つの溝７５がある。溝７５は、器具の外表面４５に配置される。溝７５は、着用者上の適所で器具を固定するどのような手段も受け付けるように設計されて機能し、次のものを含む：指、女性の乳房を覆うための一般的な衣服（例えば：女性のチューブトップ、ブラジャーなど）、革紐など。溝７５は、さらに補助器具の取付を可能にする（第２の実施例で通路強化部９０として詳細に記述される）。
【０１１８】
第１の実施例の溝７５の変形例は、次のものを含む：様々な横断面の形、様々な幾何学的図形を備えた溝であり、次のものを含む：楕円形、長方形、不規則な形など、任意の方向に向けられた溝、凹凸模様ありまたはなしの溝、任意の深さの溝、および着用者上の適所で器具を固定する任意の手段を受け付ける任意の溝であり、次のものを含む：接着剤、面ファスナ、革紐、ホック状突部など。任意の性的支援器具上には、零、１つまたは複数の溝があり得る。
【０１１９】
＜材料−第１の実施例＞
安定板８５を除く性的支援器具の第１の実施例は、ショア００スケール硬度で１−２０の間のデュロメーター測定値を備えた、医療用シリコーン、ゴム、エラストマーまたはエラストマーゲルから作られる。しかし、性的支援器具は、次の特性を含む任意の材料で作ることができる。材料は、柔らかく、弾性があり、屈曲可能で、人間の指によって永久歪無しに変形可能であるべきである。材料は、また安定していて、劣化無しに多数回の洗濯ができるべきである。材料は、さらに人間の肉の密度および触感を持っているべきであり、感覚全体を容易に伝達することができるべきである。材料は、着用者上の任意の位置で、通路の幾何学的形状の程度を保持する間に身体輪郭に一致するべきである。人工または本物の陰茎によって貫通されたときの材料は、貫通物によるマッサージ領域を広げるマッサージ効果を引き起こすために容易に変形し湾曲するべきである。材料の弾性の性質は、貫通物の影響を増強する。
【０１２０】
補足材料は、安定板８５に必要である。安定板８５の製造のための好ましい材料は、ショアＡスケール硬度で１０−６０の間のデュロメーター測定値を備えた、医療用シリコーン、ゴム、エラストマー、またはエラストマーゲルである。安定板８５は、より硬いとはいえ、第１の実施例に使用された同様の特性を備えた同様の材料から好ましくは構築される。安定板８５の剛性は、安定板８５の厚さ、および安定板８５に使用された材料のデュロメーター測定値に依存する。より低いデュロメーター測定値の材料を持つより厚い安定板８５は、より高いデュロメーター測定値の材料を持つより薄い安定板８５と同じ剛性および湾曲特性を持つことができる。述べられた好ましい範囲外のデュロメーター測定値を備えた材料は、安定板の形状、形態および特性に依存して使用することができる。その他にも、安定板８５は、第１の実施例の材料より硬い任意のタイプの材料（金属、合成樹脂、木材など）で作ることができる。
【０１２１】
＜生産−第１の実施例＞
安定板８５無しの性的支援器具は、従来の製造方法で成形することができ、次のものを含む：従来の射出成形技術等、押し出し成形技術等、重力送り成形技術、流し込み成形技術または所望の形に材料を成形することを可能にする任意の技術。
【０１２２】
安定板８５は、従来の製造方法で成形することができ、次のものを含む：従来の射出成形技術等、押し出し成形技術等、重力送り成形技術、流し込み成形技術、または所望の形に材料を成形することを可能にする任意の技術。
【０１２３】
図９−１１に示されるような安定板８５を備えた第１の実施例は、従来の重ね成形技術等または複数の異種の材料を一緒に重ね成形する任意の技術を使用して製造することができる。
【０１２４】
性的支援器具は、図９−１１で注入成形部品として示されるが、それによって、器具は、各乳房の湾曲で成形され、器具が人間の陰茎によって貫通されるとともに器具が押し出し成形されることができるように、快適さのために各通路上に滑らかな丸みを帯びた入口唇を持っている。押し出し成形された器具の場合には、各通路の入口は長さ調整押し出し成形の後処理無しでは丸められないだろう。材料の弾性特性により、滑らかな入口唇および滑らかな縁を生成するための処理は、各通路の入口唇および／または縁で一貫性および反復性を維持することは難しい。それゆえ、射出成形は、器具を製造する好ましい方法である。
【０１２５】
＜動作‐図１−１１‐第１の実施例＞
全周バンド３０を持つ性的支援器具の図１−５，９−１１に示されるような第１の実施例は、着用者の胸囲より小さい寸法である。器具は、手によって伸ばされ、着用者の頭から、または足を踏み入れ、そして乳房領域の回りでフィットする。第１の実施例では、部分的なバンド３０が図６−８に示される。この器具は、様々な方法によって適所に固定することができ、次のものを含む：片手または両手で持つ、テープ、接着剤、革紐、ボタン、面ファスナなど。器具の胸骨通路５は、乳房２００の間で、着用者の胸骨にほぼ沿うように位置される。乳房組織露出孔２５は、図２−４に示されるような乳首２１０上、または着用者によって決定された好ましい場所に位置される。
【０１２６】
次に、潤滑剤は、人工または本物の陰茎が移動する器具の領域および着用者の皮膚に塗られる。その後、人工または本物の陰茎は、乳房組織をマッサージするかまたは乳房間領域をマッサージするために、円滑になった領域に挿入することができる。オプションで、振動小球、発熱装置または電動マッサージ装置のような、しかしこれらに制限ない、零、１つまたは複数の刺激装置を、器具の任意の孔に挿入させる、または器具下の任意の場所に挿入させる、または器具上の任意の場所に置くことができる。
【０１２７】
使用後、性的支援器具は、取り除かれ、必要ならば分解され、清掃され、そして再使用されることができる。
【０１２８】
＜詳細な説明‐図１２−３１‐第２の実施例＞
図１２−３１に示された性的支援器具の第２の実施例は、次の構成要素の変形例を特徴とし、次のものを含む：胸骨通路５、管通路１５、乳房通路２０、乳房組織露出孔２５、凹部６５、安定板８５、溝７５、取付孔５０、取付タブ１１５、凹凸模様６０、乳房接触領域７０、通路強化部９０および取付手段。
【０１２９】
胸骨通路５‐図１２−２４に示されるような第２の実施例の胸骨通路５は、第１の実施例の胸骨通路５と同様の特徴、構造および特性を持っている。胸骨通路５は、着用者の皮膚、器具および１組の乳房の間で人工または本物の陰茎の移動のための通路であるように採寸され形作られる。
【０１３０】
その他にも、第２の実施例の胸骨通路５の通路縁１０には、様々な配置があり得る：収束（図１６に示される）、平行（図１７に示される）、分岐（図１８に示される）、およびそれらの任意の組合せ（図１９に示される）。その他にも、胸骨通路５には、様々な幾何学的な凹面（内部に凹んだ）の横断面の端面図形があり得る：半円（図１３に示される）、不規則（図１４に示される）、逆「Ｖ」（図１５に示される）。
【０１３１】
第２の実施例の胸骨通路５の変形例は、第１の実施例で規定されたような胸骨通路のための同じ変形例を含む。
【０１３２】
管通路１５‐図１２−１５，２４に示されるような第２の実施例の管通路１５は、第１の実施例の管通路１５と同様な特徴、構造および特性を持っている。管通路１５は、器具内および１組の乳房間で人工または本物の陰茎の移動のための通路であるように採寸され形作られている。管通路１５の様々な配置は、乳房組織をさらにマッサージする性的支援器具の湾曲を引き起こすことができる。
【０１３３】
その他にも、第２の実施例の管通路１５には、様々な横断面の配置があり得る：凹凸模様６０を備える有機的長方形（図１２に示される）、円（図１３に示される）、楕円（図１４，２４に示される）、および有機的台形（図１５に示される）。その他にも、図１５の管通路１５は、対象物が滑入するときに、対象物が器具に貫通するにつれて、上部および下部の凸面が凹面になるように形作られている。これが器具を湾曲させ、隣接した側面壁を内部へ湾曲させる。さらに、この凸面を備えた湾曲機構は、器具の乳房接触領域７０を乳房組織に向けて外側に曲げるように設計されることができる。その他にも、図１４に示されるような１つ以上の管通路１５があり得る。その他にも、管通路１５は、図２４に示されるような乳房組織露出孔２５を持つことができる。
【０１３４】
第２の実施例の管通路１５の変形例は、第１の実施例で規定されたような管通路のための同じ変形例を含む。第２の実施例の乳房組織露出孔２５の変形例は、第１の実施例で規定されたような乳房組織露出孔のための同じ変形例を含む。
【０１３５】
乳房通路２０‐図２４に示されるような第２の実施例の乳房通路２０は、第１の実施例の乳房通路２０と同様の特徴、構造および特性を持っている。乳房通路２０は、着用者の乳房組織上で人工または本物の陰茎の移動のための通路を持つように採寸され形作られている。図２４は、器具が着用者の乳房間に置かれたときに乳房組織のマッサージを可能にする役目をする器具の各側の乳房通路２０を示す。
【０１３６】
第２の実施例の乳房通路２０の変形例は、第１の実施例で規定されたような乳房通路のための同じ変形例を含む。
【０１３７】
凹部６５‐図１２−１６に示されるような第２の実施例の凹部６５は、第１の実施例の凹部６５と同様の特徴、構造および特性を持っている。凹部６５は、第１の実施例で規定されたような、零、１つまたは複数の刺激装置を保持するように設計されている。
【０１３８】
その他にも、第２の実施例の凹部６５は、様々な配置を持つことができる：直管（図１６に示される）、小大小管（図１７に示される）、閉塞端の小大管（図１８に示される）、および不規則形状管（図１９に示される）。
【０１３９】
第２の実施例の凹部６５の変形例は、第１の実施例で規定されたような凹部と同じ変形例を含む。
【０１４０】
安定板８５‐図２０−２１に示されるような第２の実施例の安定板８５は、第１の実施例の安定板８５と同様の特徴、構造および特性を持っている。安定板８５は、器具の中に埋め込まれ、上面の形にほぼ追従する。安定板８５は、材料を支持し、取付孔５０を経由して取付手段が使用されるときに材料が過度に屈曲することを制限することを支援するように取付孔５０に渡されている。安定板８５は、器具の形を保持することを支援し、かつ適所に器具を固定するために使用された圧力を分散する役目をする。
【０１４１】
その他にも、器具の全上方部は、より硬い材料で作ることができ、図２２−２３に示されるような安定板８５として機能させることができる。安定板８５として機能する器具の全上方部を持つことは、器具および取付孔５０の変形を制限し、適所に器具を固定するために加えられる圧力を分散する。加えて、より硬い材料内にある凹部６５は、全器具にわたって凹部６５内に置かれた任意の刺激装置からの補足刺激の影響をより高度に伝達する。
【０１４２】
第２の実施例の安定板８５の変形例は、第１の実施例で規定されたような安定板のための同じ変形例を含む。
【０１４３】
溝７５‐図１２，２０−２３に示されるような第２の実施例の単一の溝７５は、第１の実施例の溝７５と同様の特徴、構造および特性を持っている。胸骨通路５の反対側の面は、性的支援器具の上面である。上面は、半球形で、溝７５である平らな長方形のくぼみを持つ。溝７５は、取付手段の下に器具を位置付け、および／または通路強化部９０を取り付けることを可能にする。溝７５は、着用者の適所に器具を固定する任意の手段も受け付けるように設計され、機能する。手段は、次のものを含む：指、女性の乳房を覆うための一般的な衣服（例えば：女性のチューブトップ、ブラジャーなど）、革紐など。
【０１４４】
その他にも、器具は、図２４に示されるような多数の溝７５を持つことができる。これらの多数の溝７５は、快適さのために器具の位置付けの可変性を許容する。
【０１４５】
第２の実施例の溝７５の変形例は、第１の実施例で規定されたような溝のための同じ変形例を含む。
【０１４６】
取付孔５０／取付タブ１１５‐性的支援器具の第２の実施例は、器具の上面から伸びる取付タブ１１５を持つ。各取付タブ１１５には、取付孔５０がある。これらの取付孔５０は、取付タブ１１５を貫通し、管通路１５の軸に垂直である。取付孔５０は、着用者上の所定位置に器具を固定するために使用することができる。
【０１４７】
その他にも、取付タブ１１５が無いことも可能である。また、上面とほぼ平行で、第２の実施例の管通路の軸に垂直であり、かつ図２４に示されるような器具を完全に貫通する、２つの取付孔５０があることも可能である。その他にも、取付孔５０は、図２５に示されるような器具の上面に垂直であることができる。
【０１４８】
第２の実施例の取付タブ１１５の変形例は、次のものを含む：対称的、非対称的または不揃い器具に配置されることができるタブ；ホックを含む様々な形があり得るタブ；および器具を着用者に取り付ける手段を可能にするように採寸され形作られる任意の取付タブ１１５。性的支援器具のどれにも、零、１つまたは複数の取付タブ１１５があり得る。
【０１４９】
第２の実施例の取付孔５０の変形例は、次のものを含む：対称的、非対称的または不揃いの器具に配置されることができる孔；様々な形を持つことができる孔；および器具を着用者に取り付ける手段を可能にするように採寸され形作られる任意の取付孔５０。性的支援器具のどれにも、零、１つまたは複数の取付孔５０があり得る。
【０１５０】
凹凸模様６０‐性的支援器具の第２の実施例は、図１２に示されるような乳房接触領域７０の上に凹凸模様６０を持っている。乳房接触領域７０は、器具が着用者の乳房間で適所にあるときに乳房組織に隣接している器具の表面である。乳房接触領域７０は、乳房の湾曲にフィットするために形成され、器具が使用されている間に乳房組織への刺激を増加させる凹凸模様６０を持つことができる。性的支援器具の乳房接触領域７０上の凹凸模様６０は、図１２中に波状突起を持つことを示されるが、性的支援器具の表面は、この種の凹凸模様６０に制限されるものではない。凹凸模様６０は、次のものを含むことができる：丸い球体、くぼみ、指状突起、および任意の表面または無凹凸模様６０の感触、柔軟性または一貫性を変化させる任意の手段。凹凸模様６０は、乳房組織のより深いマッサージを引き起こす、あるいは人間の陰茎への変化された刺激を引き起こす役目をする。
【０１５１】
図１２に示されるように、管通路１５内には、凹凸模様６０がある。この凹凸模様６０は、波状突起の形状であり、挿入された陰茎に補足刺激を与える。さらに、材料の弾性の性質により、管通路１５内の凹凸模様６０が人工または本物の陰茎の移動の結果として移動するときに、乳房接触領域７０上の凹凸模様６０が移動し、乳房組織をマッサージする。
【０１５２】
第２の実施例の凹凸模様６０の変形例は、次のものを含む：マッサージ要素の任意の表面上の凹凸模様；着用者の位置に器具を保持することを支援する任意の表面上の凹凸模様；刺激装置を適所に保持することを支援する凹部内の凹凸模様；性的支援器具上で通路を生成することができる凹凸模様；入口唇を生成することができる凹凸模様；溝を生成することができる凹凸模様；および任意の性的支援器具の表面の感触または材料の一貫性を変化させる任意の手段。
【０１５３】
通路強化部９０‐図２５−３０に示された第２の実施例の通路強化部９０は、次のものを含む：胸骨通路５、管通路１５、４つの取付孔５０、溝７５および取付手段。図２５は、第２の実施例の受容器具を示し、図２６は、第２の実施例の通路強化部９０を示す。通路強化部９０は、わずかに小さな寸法であり、図２７に示されるような受容性的支援器具上に伸ばされ、押し付けられるように設計されている。通路強化部９０の胸骨通路５の反対側の表面は、受容性的支援器具の胸骨通路５の凹面の表面の形と結合する凸面形である。通路強化部９０は、通路強化部９０の胸骨通路５に向けて突出する通路強化部９０の上端部（溝７５の反対側）に材料を持っている。この突出材料は、受容器具の溝７５と結合する。この配置では、受容器具は、通路強化部９０で固定される。通路強化部９０の取付孔５０は、受容器具の取付孔５０とぴたりと一致し、着用者に性的支援器具を取り付ける手段を可能にする。通路強化部９０の取付孔５０は、通路強化部９０を受容器具に固定する役目をすることができる。通路強化部９０は、親密マッサージ用通路を備えた性的支援器具の可変性を拡張する安価な手段を提供する。通路強化部９０は、マッサージ要素および／または性的支援器具の他の特徴（例えば：形状、寸法、配置など）を増強するために、受容性的支援器具に組み込むことができる。
【０１５４】
その他にも、通路強化部９０は、図３１に示されるような代替取付手段を持つ。この通路強化部９０は、受容第１および／または第２の実施例上に留められるように設計されている。この例では、通路強化部９０は、通路強化部９０を器具上に固定することを支援するための安定板８５を持っていない。しかし、通路強化部９０は、通路強化部９０を器具に固定するために２つの取付孔５０を持っている。例えば、これらの取付孔５０は、合成樹脂リング、紐、革紐などを支持することができる。
【０１５５】
第２の実施例の通路強化部９０の変形例は、すべての実施例の規定された変形例を含む：胸骨通路、管通路、乳房通路、乳房組織露出孔、バンド、取付孔、入口唇、凹凸模様、凹部、溝、安定板、取付リング（第３の実施例で詳細に述べられる）および取付タブ。第２の実施例の通路強化部の変形例は、さらに次のものを含む：性的支援器具上の任意の位置ですべての実施例を取り付けるように設計された通路強化部；ブラジャーまたは女性乳房を覆う衣服に取り付けるように設計された通路強化部；特徴を生成または増強する役目をする通路強化部であり、次のものを含む：胸骨通路、管通路、乳房通路、乳房組織露出孔、バンド、取付孔、入口唇、凹凸模様、凹部、溝、安定板、取付リング、取付タブおよび取付手段；および性的支援器具への任意の取付手段を備えた通路強化部であり、次のものを含む：磁石、摩擦保持、接着剤、挿入腕、圧力フィットなど。独立型の器具として使用するために設計された、または任意の受容性的支援器具を備えた、零、１つまたは複数の通路強化部があり得る。
【０１５６】
＜材料‐第２の実施例＞
図１２−３１に示されるような性的支援器具の第２の実施例の好ましい材料は、任意の安定板８５が存在するときに、任意の安定板８５に必要な付加的な材料を備えた第１の実施例の好ましい材料と同じである。安定板８５の材料は、第１の実施例で述べられた安定板８５の材料と同じである。
【０１５７】
＜生産‐第２の実施例＞
単一の材料で作られた（安定板８５が存在しない）性的支援器具の第２の実施例は、安定板８５のない性的支援器具の第１の実施例のために規定されたものと同じ技術等を使用して製造することができる。
【０１５８】
安定板８５は、性的支援器具の第１の実施例のための安定板８５として規定されたような同じ技術等を使用して製造することができる。
【０１５９】
安定板８５を備えた性的支援器具の第２の実施例は、安定板８５を備えた性的支援器具の第１の実施例のために規定されたようなものと同じ技術等を使用して製造することができる。
【０１６０】
＜動作‐図１２−３１‐第２の実施例＞
性的支援器具の図１２−２４に示されるような第２の実施例は、胸骨通路５が着用者の胸骨にほぼ整列する乳房２００の間にフィットするように位置されるように、乳房を覆う女性の一般的な衣服の下に器具をフィットさせることにより適所に固定される。その他にも、性的支援器具は、片手、両手で適所に保持することができ、または革紐を取付タブ１１５内の取付孔５０に通して装着することができる。適所に器具を固定するために使用される革紐は、胸骨通路５が乳房２００の間で胸骨にほぼ整列してフィットするように最終構成が位置されるようである限り、多くの構成（どのような構成にも制限されない）があり得る。この位置では、胸骨通路５は、人工または本物の陰茎が着用者の乳房２００の間で移動するための通路を持っている。通路強化部９０が望まれるか、または必要であるならば、図２５−３１に示されるように、器具を適所にフィットさせる前に、それが性的支援器具に好ましく組み込まれる。
【０１６１】
次に、潤滑剤は、人工または本物の陰茎が移動するであろう性的支援器具の領域および着用者の皮膚に塗られる。その後、人工または本物の陰茎は、乳房組織をマッサージするかまたは乳房間領域をマッサージするために円滑になった領域に挿入することができる。オプションで、振動小球、発熱装置または電動マッサージ装置のような、しかしそれらに制限されない、零、１つまたは複数の刺激装置が、器具の任意の孔に挿入されるか、器具の下で任意の場所に挿入されるか、器具上の任意の場所に置かれるかすることができる。
【０１６２】
使用後、性的支援器具は、取り除かれ、必要ならば分解され、清掃され、再使用されることができる。
【０１６３】
＜詳細な説明‐図３２−４８‐第３の実施例＞
図３２−４８に示された性的支援器具の第３の実施例は、次の構成要素の変形例を特徴とし、次のものを含む：乳房通路２０、凹部６５、安定板８５、溝７５、取付タブ１１５、取付孔５０、乳房組織露出孔２５、取付リング１１０、乳房接触領域７０、入口唇５５および取付手段。第３の実施例は、内表面４０上に通路を備えた椀のように形作られる。椀には、外表面４５がある。器具は、図３３に示されるような平面図において、円である。器具は、器具に対して露出される乳房組織へのマッサージを引き起こすために、人工または本物の陰茎を器具に貫通させるのに十分な領域で乳房の一部を覆うように採寸され形作られている。
【０１６４】
性的支援器具の第３の実施例の変形例は、次のものを含むことができる：平面形の変形例であり、次のものを含む：円、三角形、楕円形、八角形、多角形、不規則な形、および少なくとも１つの通路に構造を提供する役目をする任意の形。
【０１６５】
乳房通路２０‐図３２−４２に示されるような第３の実施例の乳房通路２０は、第１の実施例の乳房通路２０と同様の特徴、構造および特性を持っている。第３の実施例の乳房通路２０は、椀形の器具の内表面４０上の凹面の半円横断面の通路である。器具が乳房に位置するときに、乳房通路２０は、人工または本物の陰茎が乳房組織をマッサージするために着用者の乳房上の通路であるように採寸され形作られている。
【０１６６】
その他にも、乳房通路２０の一部は、図３６−３７に示されるように、一方の通路縁１０から他方の通路縁１０までの材料の連結ブリッジである。その他にも、図３８に示されるように、通路縁１０の間の材料のブリッジを持たない、２つの平行な乳房通路２０があり得る。その他にも、図３９に示されるように、互いに垂直な乳房通路２０があり得る。この例では、一方の乳房通路２０には通路縁１０間の材料のブリッジがなく、他方の乳房通路２０には通路縁１０間をブリッジする材料の一部がある。その他にも、図４０−４２に示された乳房通路２０は、着用者上の所定位置に置かれたときに、可視の乳房通路２０を持たない。器具の内表面４０上の乳房通路２０の位置を示すための入口唇５５がある。入口唇５５が貫通されたときに、弾性材は、当然にも変形し、人工または本物の陰茎は、乳房通路２０に露出される。その他にも、超可撓性材料１２０は、図４３−４８に示された乳房通路２０を生成するために利用することができる。超可撓性材料１２０を備えた器具が着用者上の適所にあるときに、器具は、可視の乳房通路２０を持たない。器具は、器具内の超可撓性材料１２０の位置を示すために入口唇５５を持っている。入口唇５５が貫通されたときに、超可撓性材料１２０は、人工または本物の陰茎のための乳房通路２０を生成するために当然変形する。
【０１６７】
第３の実施例の乳房通路２０の変形例は、第１の実施例で規定されたような乳房通路と同じ変形例を含む。
【０１６８】
凹部６５‐図３２−３６に示されるような第３の実施例の凹部６５は、第１の実施例の凹部６５と同様の特徴、構造および特性を持っている。図３２−３６に示されるような第３の実施例の各凹部６５は、乳房通路２０に隣接し、平行し、そして各側にある。前の実施例におけるように、凹部６５は、零、１つまたは複数の刺激装置を保持するように設計されている。
【０１６９】
その他にも、第３の実施例は、図３７−４８に示されるように、凹部６５を持たないこともできる。
【０１７０】
第３の実施例の凹部６５の変形例は、第１の実施例で規定されたものと同じ凹部の変形例を含む。
【０１７１】
安定板８５‐図３２−３５に示されるような第３の実施例の安定板８５は、第１の実施例の安定板８５と同様の特徴、構造および特性を持っている。性的支援器具の第３の実施例は、図３２−３５に示されるような１つの埋込安定板８５を持つ。安定板８５は、乳房通路２０の輪郭に沿っており、乳房接触領域７０に隣接する器具の輪郭に沿って部分的に外に伸びている。この乳房接触領域７０の輪郭上への安定板８５の部分的な延長は、圧力を分散する役目をする。安定板８５は、器具が適所に位置し固定されたときに、乳房通路２０の崩壊に抵抗するように設計されたより硬い材料である。
【０１７２】
その他にも、第３の実施例は、図３７−４８に示されるように、安定板８５を持たないことができる。
【０１７３】
第３の実施例の安定板８５の変形例は、第１の実施例で規定されたような安定板のための同じ変形例を含む。
【０１７４】
溝７５‐図３２−３５，４０−４２に示されるような第３の実施例の溝７５は、第１の実施例の溝７５と同様の特徴、構造および特性を持っている。性的支援器具の第３の実施例は、図３２−３５，４０−４２に示されるような２つの溝７５を持つ。これらの溝７５は、器具の外表面４５上の腎臓形のくぼみであり、器具の縁の近くに位置する。
【０１７５】
その他にも、第３の実施例は、図３６−３９，４３−４８に示されるような溝７５を持たないことができる。
【０１７６】
第３の実施例の溝７５の変形例は、第１の実施例で規定されたような溝のための同じ変形例を含む。
【０１７７】
取付タブ１１５／取付孔５０‐図３６に示されるような第３の実施例の４つの取付タブ１１５および４つの取付孔５０は、第２の実施例における取付タブ１１５および取付孔５０と同様の特徴、構造および特性を持っている。
【０１７８】
その他にも、第３の実施例は、図３２−３５，３８−４８に示されるような取付タブ１１５および／または取付孔５０を持たないことができる。その他にも、図３７に示されるような取付孔５０のない取付タブ１１５を持つことができる。この実例は、着用者の胴部のまわりで器具を位置決めして固定するための代替取付手段として役立ち、器具に一体的に成形された取付リング１１０を持ち、次のものを含む：胴、四肢、および首。材料の弾性の性質により、取付リング１１０の部分は、着用者の位置で器具を固定するために弾性バンドのように伸ばすことができる。
【０１７９】
第３の実施例の取付孔５０の変形例は、第２の実施例で規定されたような取付孔のための同じ変形例を含む。第３の実施例の取付タブ１１５の変形例は、第２の実施例で規定されたような取付タブのための同じ変形例を含む。
【０１８０】
入口唇５５‐性的支援器具の第３の実施例は、図４０−４８に示されるような器具縁上に２つの面取りされた入口唇５５を持っている。これらの入口唇５５は、器具の乳房通路２０がどこで開始し終了するかを示す役目をする、器具縁上の傾斜部分である。入口唇５５も、人工または本物の陰茎が乳房通路２０に進入することを促進する役目をする。傾斜入口唇５５は、図４１に示されるような器具縁の対向側に見られる。
【０１８１】
第３の実施例の入口唇５５の変形例は、次のものを含む：器具上の位置において対称的または非対称的な入口唇；様々な横断面の形を備えた入口唇であり、次のものを含む：円、多角形、八角形または不規則な形、およびそれらの組合せなど；器具への進入を促進するために器具縁に対して任意の角度である入口唇；様々な入口および出口唇の形状構成；凹凸模様のあるまたは凹凸模様のない入口唇；凹凸模様で作られた入口唇；人体の任意の孔に似ているように形作られた入口唇；他のマッサージ要素に接続する入口唇；および人工または本物の陰茎が器具の中または下に進入することを可能にするように採寸され形作られる任意の入口唇。任意の性的支援器具上に、零、１つまたは複数の入口唇があり得る。
【０１８２】
＜材料‐第３の実施例＞
図３２−４８に示されるような性的支援器具の第３の実施例の好ましい材料は、任意の安定板８５または複数の安定板８５が存在するならば、安定板８５に必要である補足材料、および超可撓性材料１２０を必要とする器具のために必要である補足超可撓性材料１２０を備える、第１の実施例の好ましい材料と同じである。安定板８５の材料は、第１の実施例に述べられた安定板８５の材料と同じである。
【０１８３】
図４３−４８に示された器具に必要な超可撓性材料１２０は、医療用シリコーン、ゴム、エラストマーまたはショア００スケール硬度の０．１−５の間のデュロメーター測定値を備えたエラストマーゲルである。超可撓性材料１２０は、より柔軟であるが、第１の実施例に使用されたものと同様の特性を備えた同様の材料が好適である。誘発された乳房通路２０の柔軟性は、超可撓性材料１２０の厚さ、および超可撓性材料１２０のために使用された材料のデュロメーター測定値に依存する。より低いデュロメーター測定値の材料を備えたより厚い横断面には、より高いデュロメーター測定値の材料を備えたより薄い横断面と同じ柔軟性を持つことができる。誘発された乳房通路２０の器具は、通路領域の材料の厚さが超可撓性材料１２０の特性を模倣するのに十分に薄いならば、安定板８５のない第１の実施例と同じ材料で作ることができる。述べられた好ましい範囲外のデュロメーター測定値の材料は、超可撓性材料１２０の形状、形態および特性に依存して使用することができる。
【０１８４】
＜製造‐第３の実施例＞
（安定板８５または超可撓性材料１２０がない）単一の材料で作られた性的支援器具の第３の実施例は、安定板８５のない性的支援器具の第１の実施例のために規定されたものと同じ技術等を使用して製造することができる。
【０１８５】
安定板８５または超可撓性材料１２０を備えた性的支援器具の第３の実施例は、安定板８５を備えた性的支援器具の第１の実施例のために規定されたものと同じ技術等を使用して製造することができる。
【０１８６】
器具の安定板８５または超可撓性材料１２０の部分は、従来の製造方法で成形することができ、次のものを含む：従来の射出成形技術等、押し出し成形技術等、重力送り成形技術、流し込み成形技術、または所望の形に材料を成形することを可能にする任意の技術。
【０１８７】
その他にも、第３の実施例は、押し出し成形することができる。この場合、性的支援器具は、椀形を持つ代わりに一定の横断面を持つだろう。幸運にも、材料の弾性特性により、器具が乳房を覆うために女性の一般的な衣服の下に置かれたときに、乳房接触領域７０は、自然と乳房に一致するだろう。押し出し成形された器具の場合には、各通路の入口は、押し出し成形の後処理なしで丸くされないだろう。材料の弾性特性により、滑らかな入口唇５５を生成するための後処理は、各通路の入口および／または縁で一貫性および反復性を維持しているので困難である。それゆえ、射出成形は、器具を製造する好ましい方法である。
【０１８８】
＜動作‐図３２−４８‐第３の実施例＞
椀形である性的支援器具の図３２−４８に示されるような第３の実施例は、乳房を覆うために女性の一般的な衣服の下に位置し、溝７５が器具上に存在するならば、利用可能な溝７５にチューブトップまたはブラジャーの縁を整列させる。その他にも、器具は、片手または両手で適所に保持することができる。その他にも、器具が図３６に示されるような取付孔５０を備えた取付タブ１１５を持つならば、器具は、必要ならば、取付タブ１１５および／または取付孔５０を結合する複数の固定手段を使用して、着用者に固定することができる。その他にも、器具が図３７に示されるような内蔵取付リング１１０を持っているならば、リングの部分は、着用者の位置の器具を固定するために胴、四肢および／または首のまわりで伸ばすことができる。性的支援器具は、内表面が乳房に接して置かれるように位置し、人工または本物の陰茎が進入し乳房をマッサージするための通路を生成する。器具は、任意の乳房組織を有効にマッサージするために、乳房の異なる部位に移動することができる。
【０１８９】
次に、潤滑剤は、人工または本物の陰茎が移動するだろう性的支援器具の領域および着用者の皮膚に塗られる。その後、人工または本物の陰茎は、乳房組織をマッサージするために円滑になった領域に挿入されることができる。オプションで、振動小球、発熱装置または電動マッサージ装置のような、しかしそれらに制限されない、零、１つまたは複数の刺激装置が、器具の任意の孔に挿入されるか、器具の下で任意の場所に挿入されるか、器具上の任意の場所に置かれることができる。
【０１９０】
使用後、性的支援器具は、取り除かれ、必要ならば分解され、清掃され、再使用されることができる。
【０１９１】
＜結論、効果および範囲＞
上記の図は多くの具体例を含んでいるが、読者は、発明の範囲に対する制限としてではなく、単にそのいくつかの好ましい実施例を示すものとしてこれらを解釈するべきである。様々な他の実施例が可能である。明細書で各要素のために記述された変形例の様々な配置を含む性的支援器具のさらなる実施例が可能である。これらの要素の変形例は、次のものの変形例を含んでいる：胸骨通路、管通路、乳房通路、乳房組織露出孔、バンド、取付孔、入口唇、凹凸模様、凹部、溝、安定板、通路強化部、取付リングおよび取付タブ。異なる柔軟で弾力のある材料を、性的支援器具に使用することができる。胸骨通路、管通路、乳房通路および通路強化部は、支索、肋材、枕、補助枕、隆起縁、または陰茎のための通路として役立つ任意の形を含むことができる。性的支援器具は、単身使用者またはカップルによって使用されることができる。手は、任意の適合する通路またはマッサージための器具の孔へ導入することができる。器具は、陰茎上の圧迫感の程度を変化させること、および着用者の乳房マッサージ感覚の程度を変化させることに帰着する、より多くの領域またはより少ない領域を覆うために様々な形を持つことができる。通路は、陰茎に様々な圧迫感を、様々な乳房マッサージ感覚の程度を生成するために異なる形状形態を持つことができる。通路は、蓋で覆われている入口および／または出口を持つことができる。通路入口および出口は、着用者の位置にあるときに皮膚に隣接することができる。色素、香水、抗菌物質または経皮薬剤を、器具の材料に加えることができる。器具は、一日中、または一晩中、または長期間、着用することができる。器具は、身体の他の部分での使用のために採寸され形作ることができる。例えば：尻、脚、背中、または人体の他のいかなる場所。性的支援器具の全体は、対称的かまたは非対称的であるように設計され構築することができる。器具は、女性のブラジャーに統合することができる。通路以外の器具は、他の材料で作ることができる。各通路は、多数のエラストマー材料で構築することができる。オプションで、補足刺激を提供し、器具から貫通する触手状突部を、すべての実施例に加えることができる。これらの触手状突部は、乳房の敏感な部位または身体の他の敏感な部分に触れることができる。読者は、性的支援器具が個人および／またはカップルに乳房組織および乳房間領域をマッサージするための、新しい非常に有効な経済的手段を提供することを知ることができる。
【図１】
2014514119.tif 000003
【図２】
2014514119.tif 000004
【図３】
2014514119.tif 000005
【図４】
2014514119.tif 000006
【図５】
2014514119.tif 000007
【図６】
2014514119.tif 000008
【図７】
2014514119.tif 000009
【図８】
2014514119.tif 000010
【図９】
2014514119.tif 000011
【図１０】
2014514119.tif 000012
【図１１】
2014514119.tif 000013
【図１２】
2014514119.tif 000014
【図１３】
2014514119.tif 000015
【図１４】
2014514119.tif 000016
【図１５】
2014514119.tif 000017
【図１６】
2014514119.tif 000018
【図１７】
2014514119.tif 000019
【図１８】
2014514119.tif 000020
【図１９】
2014514119.tif 000021
【図２０】
2014514119.tif 000022
【図２１】
2014514119.tif 000023
【図２２】
2014514119.tif 000024
【図２３】
2014514119.tif 000025
【図２４】
2014514119.tif 000026
【図２５】
2014514119.tif 000027
【図２６】
2014514119.tif 000028
【図２７】
2014514119.tif 000029
【図２８】
2014514119.tif 000030
【図２９】
2014514119.tif 000031
【図３０】
2014514119.tif 000032
【図３１】
2014514119.tif 000033
【図３２】
2014514119.tif 000034
【図３３】
2014514119.tif 000035
【図３４】
2014514119.tif 000036
【図３５】
2014514119.tif 000037
【図３６】
2014514119.tif 000038
【図３７】
2014514119.tif 000039
【図３８】
2014514119.tif 000040
【図３９】
2014514119.tif 000041
【図４０】
2014514119.tif 000042
【図４１】
2014514119.tif 000043
【図４２】
2014514119.tif 000044
【図４３】
2014514119.tif 000045
【図４４】
2014514119.tif 000046
【図４５】
2014514119.tif 000047
【図４６】
2014514119.tif 000048
【図４７】
2014514119.tif 000049
【図４８】
2014514119.tif 000050
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
親密マッサージ器具は、次のものを含む：
ａ）本体、
ｂ）少なくとも１つの通路、前記本体の部分として定義された、
ここにおいて、前記本体の部分は少なくとも１つのエラストマー材料で作られ、
前記少なくとも１つの通路は人間の陰茎を収容するための寸法に形成され、
前記少なくとも１つの通路は人間の着用者の胴に位置し、
前記少なくとも１つの通路は人間の陰茎のために内蔵された所定の軌道であり、そして
これによって、前記親密マッサージ機器の着用者の胴は、人間の陰茎が前記少なくとも１つの通路に挿入されたときに刺激される。
【請求項２】
請求項１記載の親密マッサージ器具は、ここにおいて、前記少なくとも１つの通路が、少なくとも１つの胸骨通路、少なくとも１つの管通路、および少なくとも１つの乳房通路から成るグループから選択され、
ここにおいて、前記少なくとも１つの胸骨通路は着用者の胸骨とほぼ整列して位置し、そして前記少なくとも１つの胸骨通路は着用者の乳房間にほぼ位置し、そして前記少なくとも１つの胸骨通路は陰茎が前記少なくとも１つの胸骨通路にあるときに着用者の皮膚、前記親密マッサージ器具および着用者の乳房間で陰茎を案内し、そして
ここにおいて、前記少なくとも１つの管通路は着用者の胸骨とほぼ整列して位置し、そして前記少なくとも１つの管通路は陰茎が前記少なくとも１つの管通路にあるときに前記親密マッサージ器具内で着用者の乳房間で陰茎を案内し、そして
ここにおいて、前記少なくとも１つの乳房通路は着用者の乳房上に位置し、そして前記少なくとも１つの乳房通路は陰茎が前記少なくとも１つの乳房通路にあるときに着用者の乳房上で陰茎を案内し、そして
それによって、前記少なくとも１つの胸骨通路、前記少なくとも１つの管通路、および前記少なくとも１つの乳房通路は、人間の陰茎のための内蔵された所定の軌道である。
【請求項３】
前記本体が、バンドによって具現化されることを特徴とする請求項２記載の親密マッサージ器具。
【請求項４】
前記本体が、芯部材によって具現化されることを特徴とする請求項２記載の親密マッサージ器具。
【請求項５】
前記本体が、椀によって具現化されることを特徴とする請求項２記載の親密マッサージ器具。
【請求項６】
少なくとも１つの取付手段をさらに含み、ここにおいて、前記少なくとも１つの取付手段が着用者の胴上の適所に前記本体を保持する請求項２記載の親密マッサージ器具。
【請求項７】
少なくとも１つの第２の取付手段をさらに含み、ここにおいて、前記少なくとも１つの第２の取付手段が前記親密マッサージ器具を第２の親密マッサージ器具に取り付けることを特徴とする請求項２記載の親密マッサージ器具。
【請求項８】
前記少なくとも１つの通路が少なくとも１つの孔を含み、ここにおいて、前記少なくとも１つの孔が人間の陰茎が前記少なくとも１つの通路にあるときに人間の着用者の皮膚を人間の陰茎に露出することを特徴とする請求項２記載の親密マッサージ器具。
【請求項９】
少なくとも１つの空洞をさらに含み、ここにおいて、前記少なくとも１つの空洞が少なくとも１つの補助皮膚刺激装置を含むための寸法に形成されることを特徴とする請求項２記載の親密マッサージ器具。
【請求項１０】
少なくとも１つの安定板をさらに含み、ここにおいて、前記少なくとも１つの安定板が前記親密マッサージ器具のより硬い材料の領域を含み、ここにおいて、前記少なくとも１つの安定板が前記親密マッサージ器具の変形を制限する役目をする請求項２記載の親密マッサージ器具。
【請求項１１】
着用者の胴をマッサージする方法は、次のものを含み：
ａ．この種の性的支援器具を提供することは、次のものを含み
本体、
少なくとも１つの通路、前記本体の部分として定義された、
ここにおいて、前記本体の部分は少なくとも１つのエラストマー材料で作られ、
前記少なくとも１つの通路は人間の陰茎を収容するための寸法に形成され、
前記少なくとも１つの通路は人間の着用者の胴に位置され、そして
前記少なくとも１つの通路は人間の陰茎のために内蔵された所定の軌道であり、
ｂ．前記性的支援器具を人間の着用者の胴に位置決めること、
ｃ．人間の陰茎が移動するであろう領域に潤滑剤を塗ること、
ｄ．人間の陰茎を前記少なくとも１つの通路に挿入すること、そして
ｅ．前記少なくとも１つの通路における人間の陰茎の移動の結果として人間の着用者の胴をマッサージすること。
【請求項１２】
請求項１１記載の方法は、ここにおいて、前記少なくとも１つの通路が、少なくとも１つの胸骨通路、少なくとも１つの管通路、および少なくとも１つの乳房通路から成るグループから選択されること、
ここにおいて、前記少なくとも１つの胸骨通路は着用者の胸骨にほぼ整列して位置し、そして前記少なくとも１つの胸骨通路は着用者の乳房間にほぼ位置され、そして前記少なくとも１つの胸骨通路は陰茎が前記少なくとも１つの胸骨通路にあるときに陰茎を着用者の皮膚、前記性的支援器具、および着用者の乳房の間で案内し、そして
ここにおいて、前記少なくとも１つの管通路は着用者の胸骨とほぼ整列して位置され、そして前記少なくとも１つの管通路は陰茎が前記少なくとも１つの管通路にあるときに陰茎を前記性的支援器具内で着用者の乳房間で案内し、そして
ここにおいて、前記少なくとも１つの乳房通路は着用者の乳房上に位置され、そして前記少なくとも１つの乳房通路は陰茎が前記少なくとも１つの乳房通路にあるときに陰茎を着用者の乳房上で案内し、そして
これによって、前記少なくとも１つの胸骨通路、前記少なくとも１つの管通路、および前記少なくとも１つの乳房通路は、人間の陰茎のために内蔵された所定の軌道である。
【請求項１３】
前記本体が、バンドによって具現化されることを特徴とする請求項１２記載の方法。
【請求項１４】
前記本体が、芯部材によって具現化されることを特徴とする請求項１２記載の方法。
【請求項１５】
前記本体が、椀によって具現化されることを特徴とする請求項１２記載の方法。
【請求項１６】
少なくとも１つの取付手段をさらに含み、ここにおいて、前記少なくとも１つの取付手段が本体を着用者の胴上の適所に保持することを特徴とする請求項１２記載の方法。
【請求項１７】
少なくとも１つの第２の取付手段をさらに含み、ここにおいて、前記少なくとも１つの第２の取付手段が前記性的支援器具を前記第２の性的支援器具に取り付けることを特徴とする請求項１２記載の方法。
【請求項１８】
前記少なくとも１つの通路は少なくとも１つの孔を含み、ここにおいて、前記少なくとも１つの孔が人間の陰茎が前記少なくとも１つの通路にあるときに人間の着用者の皮膚を人間の陰茎に露出することを特徴とする請求項１２記載の方法。
【請求項１９】
少なくとも１つの空洞をさらに含み、ここにおいて、前記少なくとも１つの空洞が少なくとも１つの補助皮膚刺激装置を収容するための寸法に形成されることを特徴とする請求項１２記載の方法。
【請求項２０】
少なくとも１つの安定板をさらに含み、ここにおいて、前記少なくとも１つの安定板が前記性的支援器具のより硬い材料の領域を含み、ここにおいて、前記少なくとも１つの安定板が前記性的支援器具の変形を制限する役目をすることを特徴とする請求項１２記載の方法。
【国際調査報告】
2014514119.tif 000051
2014514119.tif 000052